(57)【要約】【課題】蓄電セル間の電圧を確実に均等化する。【解決手段】直列接続された複数の蓄電セルＢ１，Ｂ２を備えて構成される集合電池３の蓄電セルＢ１，Ｂ２の夫々に対する電流の供給をオンオフ制御することにより、蓄電セルＢ１，Ｂ２の夫々に共通に接続されたインダクタＬを介して蓄電セルＢ１，Ｂ２間で電力の授受を生じさせ、蓄電セルＢ１，Ｂ２間の電圧を均等化させるバランス補正装置（バランス補正回路１）において、蓄電セルＢ１，Ｂ２間の電圧の計測値が一致したことを検出すると、その検出時点から所定時間が経過した後に上記オンオフ制御を停止させるようにする。上記所定時間は、蓄電セルＢ１，Ｂ２間の電圧が一致したことを検出してから蓄電セルＢ１，Ｂ２間の電圧の差が所定の閾値未満になるまでに要する時間よりも長い時間に設定される。【選択図】図１
2014147150.tif 000002
【特許請求の範囲】
【請求項１】
直列接続された複数の蓄電セルからなる集合電池において、前記蓄電セル間又は直列接続された複数の前記蓄電セルからなる蓄電モジュール間の電圧を均等化するバランス補正装置であって、
前記蓄電モジュールの夫々に対する電流の供給をオンオフ制御することにより、前記蓄電モジュールの夫々が共通に接続する素子を介して前記蓄電モジュール間で電力の授受を生じさせ、前記蓄電モジュール間の電圧を均等化させるスイッチング制御部と、
前記蓄電モジュールの夫々の電圧を計測する電圧計測部と、
を備え、
前記スイッチング制御部は、前記電圧計測部により計測される前記蓄電モジュール間の電圧の計測値が一致したことを検出すると、その検出時点から所定の遅延時間が経過した後に前記オンオフ制御を停止する、
バランス補正装置。
【請求項２】
前記遅延時間は、前記蓄電モジュール間の前記電圧の計測値が一致したことを検出してから前記蓄電モジュール間の電圧の差が所定の閾値未満になるまでに要する時間よりも長い時間に設定される、請求項１に記載のバランス補正装置。
【請求項３】
前記電圧の計測値には、前記蓄電モジュールの夫々が有する内部インピーダンス及び前記電流の供給経路における線路インピーダンスのうちの少なくともいずれかの影響が含まれている、請求項１に記載のバランス補正装置。
【請求項４】
前後して接続する、第１の前記蓄電モジュールと第２の前記蓄電モジュールとの接続点にその一端が接続される、インダクタと、
前記第１の蓄電モジュールの正負端子間に前記インダクタとともに直列接続される、第１のスイッチング素子と、
前記第２の蓄電モジュールの正負端子間に前記インダクタとともに直列接続される、第２のスイッチング素子と、
を備え、
前記スイッチング制御部は、前記第１のスイッチング素子と前記第２のスイッチング素子とを交互にオンオフ制御することにより、前記インダクタを介して前記蓄電モジュール間で電力の授受を生じさせ、前記蓄電モジュール間の電圧を均等化させる、
請求項１に記載のバランス補正装置。
【請求項５】
直列接続された複数の前記蓄電モジュールで構成される集合電池の正負端子間に接続される一次巻線、及び前記蓄電モジュールの夫々の正負端子間に接続される複数の二次巻線を有するトランスと、
前記集合電池と前記一次巻線とを含む経路において前記集合電池に直列接続されるスイッチング素子と、
を備え、
前記スイッチング制御部は、前記スイッチング素子をオンオフ制御することにより、前記トランスを介して前記蓄電モジュール間で電力の授受を生じさせ、前記蓄電モジュール間の電圧を均等化させる、
請求項１に記載のバランス補正装置。
【請求項６】
前記複数の蓄電セルと、請求項１乃至５のいずれか一項に記載の前記バランス補正装置とを備える蓄電装置。
【発明の詳細な説明】
【技術分野】
【０００１】
この発明は、直列接続された複数の蓄電セルからなる集合電池において、蓄電セル間又は直列接続された複数の蓄電セルからなる蓄電モジュール間の電圧を均等化するバランス補正装置及び蓄電装置に関する。
【背景技術】
【０００２】
複数の蓄電セルが直列接続されてなる集合電池においては、放電能力の低下や寿命の短縮化を防ぐべく、蓄電セル間の電圧（起電力）のばらつきを抑える必要がある。とくに電気自動車等に用いられる蓄電装置のように多数の蓄電セルからなる集合電池については蓄電セル間の電圧のばらつきを厳密に抑えることが求められる。
【０００３】
蓄電セル間の電圧を均等化する仕組みとして、例えば、特許文献１には、直列接続された２次電池Ｂ１，Ｂ２の接続点にインダクタＬの一端を接続しておき、インダクタＬの他端を電池Ｂ１の他端に接続して形成される第１閉回路に電流を流す第１モードと、インダクタＬの他端を電池Ｂ２の他端に接続して形成される第２閉回路に電流を流す第２モードとを短時間ずつ交互に繰り返す動作（スイッチング動作）を適当な期間、実行することにより、電池Ｂ１と電池Ｂ２の電圧を均等化するバランス補正方法について開示されている（以下、同文献に開示されているバランス補正方式のことをコンバータ方式と称する。）。
【０００４】
また特許文献２には、ノートパソコン等に使用されるパック電池において、負荷電流が少ない場合におけるパック電池内の損失を低減しつつセルバランスを補正すべく、複数個の素電池を直列に接続し、これら素電池の出力電圧を入力とし、各素電池を充電する方向に出力を接続したＯＮ／ＯＦＦ方式のコンバータ回路、並びに負荷電流の大きさに応じて一次側電流を増減させる電流制御回路を備えたパック電池について開示されている（以下、同文献に開示されているバランス補正方式のことをトランス方式と称する。）。
【先行技術文献】
【特許文献】
【０００５】
【特許文献１】特開２００１−１８５２２９号公報
【特許文献２】特開平１１−１７６４８３号公報
【発明の概要】
【発明が解決しようとする課題】
【０００６】
ところで、上記の特許文献に開示されているバランス補正装置により蓄電セル間の電圧を均等化する場合には、電圧センサ（電圧計）により測定される各蓄電セルの電圧を随時比較し、蓄電セル間の電圧が一致していることをもってバランス補正回路のオンオフ制御（以下、スイッチング動作とも称する）を停止させる。
【０００７】
しかし計測された電圧値が見かけ上一致している場合でも、線路インピーダンスや蓄電セルの内部インピーダンスの影響があるために蓄電セル間の電圧が実際に均等になっているとは限らず、計測された電圧値が一致していることをもってスイッチング動作を停止してしまうと、その後に線路インピーダンスや蓄電セルの内部インピーダンスで発生した電圧降下により、最終的な蓄電セル間の電圧にばらつきが生じてしまうことがある。
【０００８】
図６に示すコンバータ方式のバランス補正回路５０を例として具体的に説明する。同図に示すように、蓄電セルＢ１とＢ２とが直列接続されて集合電池３が構成されている。集合電池３の正負端子３１，３２には、集合電池３に充電電流を供給する電流供給源（例えば、充電器、回生回路）、もしくは集合電池３の起電力を利用する負荷（例えば、モータ、需要家負荷、電子回路）が接続される。
【０００９】
蓄電セルＢ１の負極と蓄電セルＢ２の正極とを結ぶ線路には、インダクタＬの一端が接続されている。インダクタＬの他端と蓄電セルＢ１の正極とを結ぶ線路には、スイッチング素子Ｓ１が設けられている。インダクタＬの他端と蓄電セルＢ２の負極とを結ぶ線路には、スイッチング素子Ｓ２が設けられている。
【００１０】
スイッチング素子Ｓ１，Ｓ２は、例えば、ＭＯＳＦＥＴ（Metal-Oxide-Semiconductor Field-Effect Transistor)を用いて構成されている。スイッチング素子Ｓ１，Ｓ２は、制御回路３０によって生成される制御信号φ１，φ２によって制御されるゲートドライバＤ１，Ｄ２によって、一方のスイッチング素子がオンの場合は他方のスイッチング素子がオフするように、互いに相補的に動作する。
【００１１】
制御回路３０は、蓄電セルＢ１，Ｂ２の夫々の端子間の電圧を、バランス補正回路５０の所定位置（本例ではａ−ｂ間及びｂ−ｃ間）に設けられた電圧センサ（電圧計）によってリアルタイムに監視する。そして制御回路３０は、両蓄電セルＢ１，Ｂ２の計測電圧値が一致したことを検出すると、スイッチング動作（スイッチング素子Ｓ１，Ｓ２のオンオフ制御）を停止する。
【００１２】
そしてこのバランス補正回路５０においては、例えば、電圧センサによって計測されるａ−ｂ間及びｂ−ｃ間の夫々の電圧が見かけ上一致していても蓄電セルＢ１，Ｂ２間の電圧が均等になっているとは限らず、電圧センサによって計測される電圧が一致したことをもってスイッチング動作を停止してしまうと、線路インピーダンスＲ１，Ｒ２，Ｒ３や蓄電セルＢ１，Ｂ２の内部インピーダンスｒ１，ｒ２で発生した電圧降下により、図７に示すように最終的な蓄電セルＢ１，Ｂ２間の電圧にばらつきが生じてしまうことがある。
【００１３】
本発明は、このような問題を解決すべくなされたもので、蓄電セル間の電圧を確実に均等にすることが可能な、バランス補正装置及び蓄電装置を提供することを目的とする。
【課題を解決するための手段】
【００１４】
上記目的を達成するための本発明は、直列接続された複数の蓄電セルからなる集合電池において、前記蓄電セル間又は直列接続された複数の前記蓄電セルからなる蓄電モジュール間の電圧を均等化するバランス補正装置であって、前記蓄電モジュールの夫々に対する電流の供給をオンオフ制御することにより、前記蓄電モジュールの夫々が共通に接続する素子を介して前記蓄電モジュール間で電力の授受を生じさせ、前記蓄電モジュール間の電圧を均等化させるスイッチング制御部と、前記蓄電モジュールの夫々の電圧を計測する電圧計測部と、を備え、前記スイッチング制御部は、前記電圧計測部により計測される前記蓄電モジュール間の電圧の計測値が一致したことを検出すると、その検出時点から所定の遅延時間が経過した後に前記オンオフ制御を停止する。
【００１５】
本発明のうちの他の一つは、上記バランス補正装置であって、前記所定時間は、前記蓄電モジュール間の前記電圧の計測値が一致したことを検出してから前記蓄電モジュール間の電圧の差が所定の閾値未満になるまでに要する時間よりも長い時間に設定される。
【００１６】
本発明のうちの他の一つは、上記バランス補正装置であって、前記電圧の計測値には、前記蓄電モジュールの夫々が有する内部インピーダンス及び前記電流の供給経路における線路インピーダンスのうちの少なくともいずれかの影響が含まれている。
【００１７】
本発明のうちの他の一つは、上記バランス補正装置であって、前後して接続する、第１の前記蓄電モジュールと第２の前記蓄電モジュールとの接続点にその一端が接続される、ンダクタと、前記第１の蓄電モジュールの正負端子間に前記インダクタとともに直列接続される、第１のスイッチング素子と、前記第２の蓄電モジュールの正負端子間に前記インダクタとともに直列接続される、第２のスイッチング素子と、を備え、前記スイッチング制御部は、前記第１のスイッチング素子と前記第２のスイッチング素子とを交互にオンオフ制御することにより、前記インダクタを介して前記蓄電モジュール間で電力の授受を生じさせ、前記蓄電モジュール間の電圧を均等化させる。
【００１８】
本発明のうちの他の一つは、上記バランス補正装置であって、直列接続された複数の前記蓄電モジュールで構成される集合電池の正負端子間に接続される一次巻線、及び前記蓄電モジュールの夫々の正負端子間に接続される複数の二次巻線を有するトランスと、前記集合電池と前記一次巻線とを含む経路において前記集合電池に直列接続されるスイッチング素子と、を備え、前記スイッチング制御部は、前記スイッチング素子をオンオフ制御することにより、前記トランスを介して前記蓄電モジュール間で電力の授受を生じさせ、前記蓄電モジュール間の電圧を均等化させる。
【００１９】
その他、本願が開示する課題、及びその解決方法は、発明を実施するための形態の欄、及び図面により明らかにされる。
【発明の効果】
【００２０】
本発明によれば、蓄電モジュール間の電圧を確実に均等にすることができる。
【図面の簡単な説明】
【００２１】
【図１】コンバータ方式のバランス補正回路１の一例である。
【図２】スイッチング素子Ｓ１，Ｓ２のオンオフ制御を行っている期間にインダクタＬを流れる電流の波形であり、（ｂ）は、蓄電セルＢ１の電圧Ｅ１が蓄電セルＢ２の電圧Ｅ２よりも大きい場合にインダクタＬを流れる電流の波形であり、（ｃ）は、蓄電セルＢ１の電圧Ｅ１が蓄電セルＢ２の電圧Ｅ２よりも小さい場合にインダクタＬを流れる電流の波形であり、（ｄ）は、蓄電セルＢ１の電圧Ｅ１と蓄電セルＢ２の電圧Ｅ２とが均等である場合にインダクタＬを流れる電流の波形である。
【図３】バランス補正回路１について行った試験結果を示すグラフである。
【図４】バランス補正回路１について行った試験結果を示す表である。
【図５】トランス方式のバランス補正回路２の一例である。
【図６】コンバータ方式のバランス補正回路５０の一例である。
【図７】スイッチング動作停止後の蓄電セルＢ１，Ｂ２の電圧変化を説明する図である。
【発明を実施するための形態】
【００２２】
以下、本発明の実施形態について説明する。尚、以下の説明において、同一又は類似の部分に同一の符号を付して重複する説明を省略することがある。
【００２３】
図１は本発明の一実施形態として示すバランス補正回路１（バランス補正装置）である。バランス補正回路１は、例えば、直列接続された複数の蓄電セルからなる集合電池を利用する蓄電装置（電気自動車、ハイブリッド自動車、電気二輪車、鉄道車両、昇降機、系統連携用蓄電装置、パーソナルコンピュータ、ノートブック型コンピュータ、携帯電話機、スマートフォン、ＰＤＡ機器等）に適用される。蓄電セルは、例えば、リチウムイオン二次電池、リチウムイオンポリマー二次電池等が代表的であるが、蓄電セルは、例えば、電気二重層キャパシタ等の他の種類の蓄電素子であってもよい。
【００２４】
例えば集合電池を構成する蓄電セル間で製造品質や劣化の度合いが異なる場合、蓄電セル間の電池特性（電池容量、放電電圧特性）に差が生じることがある。そしてこうした電池特性の差に起因して、充放電時等に蓄電セル間の電圧にばらつきが生じることがある。このようなばらつきの発生を抑制すべく、バランス補正回路１は、蓄電セル間の電圧もしくは直列接続された複数の蓄電セルからなる蓄電モジュール間の電圧を均等化（セルバランスの確保）させるように動作する。
【００２５】
同図に示すように、蓄電セルＢ１とＢ２とが直列接続されて集合電池３を構成している。集合電池３の正負端子３１，３２には、集合電池３に充電電流を供給する電流供給源（例えば、充電器、回生回路）、集合電池３の起電力を利用して機能する負荷（例えば、モータ、需要家負荷、電子回路）等が接続される。
【００２６】
蓄電セルＢ１の負極と蓄電セルＢ２の正極とを結ぶ線路には、インダクタＬの一端が接続されている。インダクタＬの他端と蓄電セルＢ１の正極とを結ぶ線路には、スイッチング素子Ｓ１が設けられている。インダクタＬの他端と蓄電セルＢ２の負極とを結ぶ線路には、スイッチング素子Ｓ２が設けられている。
【００２７】
スイッチング素子Ｓ１，Ｓ２は、ＭＯＳＦＥＴ（Metal-Oxide-Semiconductor Field-Effect Transistor)を用いて構成されている。スイッチング素子Ｓ１，Ｓ２は、制御回路１０（スイッチング制御部）によって生成される制御信号φ１，φ２によって制御されるゲートドライバＤ１，Ｄ２によって、一方のスイッチング素子がオンの場合は他方のスイッチング素子がオフするように、互いに相補的に動作する。スイッチング素子Ｓ１，Ｓ２の夫々のドレイン−ソース間には寄生ダイオードが形成されており、スイッチング素子Ｓ１，Ｓ２がオフしている場合でも寄生ダイオードを通ってドレイン−ソース間に電流が流れる。
【００２８】
同図において、抵抗ｒ１，ｒ２は夫々、蓄電セルＢ１，Ｂ２の内部抵抗である。また抵抗Ｒ１〜Ｒ３は、いずれも線路抵抗であり、このうち抵抗Ｒ１は、蓄電セルＢ１の正極とスイッチング素子Ｓ１とを結ぶ線路の線路抵抗、抵抗Ｒ２は、蓄電セルＢ１の負極と蓄電セルＢ２の正極との間の接続点Ｊ１と、スイッチング素子Ｓ１とスイッチング素子Ｓ２との間の接続点Ｊ２とを結ぶ線路の線路抵抗、抵抗Ｒ３は、蓄電セルＢ２の負極とスイッチング素子Ｓ１とを結ぶ線路の線路抵抗である。
【００２９】
制御回路１０は、制御信号生成回路１０１、タイマ回路１０２、及び計測回路１０３を備える。このうち制御信号生成回路１０１は、ゲートドライバＤ１，Ｄ２に供給する２相の制御信号φ１，φ２を生成する。尚、本実施形態では、制御信号φ１，φ２は、所定のデューティ比（例えば５０％）の２相の方形波（例えばＰＷＭパルス（PWM:Pulse Width Modulation））であるものとする。タイマ回路１０２は、後述するオンオフ制御の停止のタイミングを計るための計時を行う。計測回路１０３は、バランス補正回路１を構成している線路の所定部位における電圧を計測する電圧センサを含む。計測回路１０３により計測された電圧値は制御信号生成回路１０１に入力される。
【００３０】
続いて、バランス補正回路１の基本的な動作について、図２を参照しつつ説明する。
【００３１】
図２（ａ）は、制御回路１０が、スイッチング素子Ｓ１，Ｓ２のオンオフ制御を行っている期間に生成する、制御信号φ１，φ２の波形である。同図に示すように、上記期間中、制御回路１０は、同一周期で相補的にオンオフされる方形波からなる制御信号φ１，φ２を生成する。
【００３２】
図２（ｂ）〜（ｄ）は、スイッチング素子Ｓ１，Ｓ２のオンオフ制御を行っている期間においてインダクタＬを流れる電流の波形である。このうち図２（ｂ）は、蓄電セルＢ１の電圧Ｅ１が蓄電セルＢ２の電圧Ｅ２よりも大きい場合にインダクタＬを流れる電流の波形であり、図２（ｃ）は、蓄電セルＢ１の電圧Ｅ１が蓄電セルＢ２の電圧Ｅ２よりも小さい場合にインダクタＬを流れる電流の波形であり、図２（ｄ）は、蓄電セルＢ１の電圧Ｅ１と蓄電セルＢ２の電圧Ｅ２とが均等である（略等しい）場合にインダクタＬを流れる電流の波形である。
【００３３】
ここで図２（ｂ）に示すように、蓄電セルＢ１の電圧Ｅ１が蓄電セルＢ２の電圧Ｅ２よりも大きい場合（Ｅ１＞Ｅ２）、スイッチング素子Ｓ１がオンでスイッチング素子Ｓ２がオフの期間中は、主に蓄電セルＢ１の正極→接続点Ｊ３→スイッチング素子Ｓ１→接続点Ｊ２→インダクタＬ→接続点Ｊ１→蓄電セルＢ１の負極の経路（以下、これを第１経路と称する。）で電流が流れる。つまりこの期間中は主に図１に示す実線矢印の方向に電流が流れてインダクタＬにエネルギーが蓄積される。
【００３４】
その後、スイッチング素子Ｓ１がオフしてスイッチング素子Ｓ２がオンすると、インダクタＬに蓄積されていたエネルギーが、インダクタＬ→接続点Ｊ１→蓄電セルＢ２の正極→蓄電セルＢ２の負極→接続点Ｊ４→スイッチング素子Ｓ２→インダクタＬの経路で放出され、これにより蓄電セルＢ２が充電される。そしてインダクタＬのエネルギーが無くなると、インダクタＬには逆方向に電流が流れ始める。
【００３５】
また図２（ｃ）に示すように、蓄電セルＢ１の電圧Ｅ１が蓄電セルＢ２の電圧Ｅ２よりも小さい場合（Ｅ１＜Ｅ２）、スイッチング素子Ｓ１がオフでスイッチング素子Ｓ２がオンのときは、主に蓄電セルＢ２の正極→接続点Ｊ１→インダクタＬ→接続点Ｊ２→スイッチング素子Ｓ２→蓄電セルＢ２の負極の経路（以下、これを第２経路と称する。）で電流が流れる。つまりこの場合、主に図１に示す破線矢印の方向に電流が流れてインダクタＬにエネルギーが蓄積される。
【００３６】
その後、スイッチング素子Ｓ２がオフしてスイッチング素子Ｓ１がオンすると、インダクタＬに蓄積されていたエネルギーが、インダクタＬ→接続点Ｊ２→スイッチング素子Ｓ１→接続点Ｊ３→蓄電セルＢ１の正極→蓄電セルＢ１の負極→接続点Ｊ１→インダクタＬの経路で放出され、これにより蓄電セルＢ１が充電される。そしてインダクタＬのエネルギーが無くなると、インダクタＬには逆方向に電流が流れ始める。
【００３７】
このように、蓄電セルＢ１，Ｂ２間の電圧に差が存在する場合、第１経路及び第２経路に交互に電流が流れることにより、蓄電セルＢ１と蓄電セルＢ２との間でエネルギーの授受が行われ、その結果両者の電圧が均等化されてセルバランスが確保される。尚、図２（ｄ）に示すように、蓄電セルＢ１の電圧Ｅ１と蓄電セルＢ２の電圧Ｅ２とが均等である場合（Ｅ１＜Ｅ２）、オンオフ制御に伴い蓄電セルＢ１，Ｂ２間で授受されるエネルギーの収支はバランスしており、蓄電セルＢ１，Ｂ２間の電圧は均等に保たれる。
【００３８】
＜スイッチング動作の停止制御＞
制御回路１０は、制御信号φ１，φ２を出力してスイッチング素子Ｓ１，Ｓ２のオンオフ制御を行っている間、図１のａ−ｂ間並びにｂ−ｃ間の電圧（電圧センサにより計測される電圧値）を随時監視している。そして制御回路１０は、これらの計測電圧値が均等になったことを検出すると、制御信号φ１，φ２の出力を停止するための準備を開始する。具体的には、制御回路１０は、タイマ回路１０２による計時を開始する。
【００３９】
その後、制御回路１０は、タイマ回路１０２の計時値に基づき、図１におけるａ−ｂ間並びにｂ−ｃ間の電圧が均等になったことを検出した時点を開始時点として、予め設定された所定の遅延時間が経過したか否かを監視する。そして上記遅延時間が経過すると、制御回路１０は、スイッチング素子Ｓ１，Ｓ２のオンオフ制御を停止する。
【００４０】
尚、上記遅延時間は、例えば、図１のａ−ｂ間並びにｂ−ｃ間の計測電圧値が一致したことを検出した後、蓄電セルＢ１，Ｂ２間の実際の電圧（起電力）の差が所定の閾値未満になるまでに要する時間よりも長い時間に設定される。また上記遅延時間は、例えば、蓄電セルＢ１，Ｂ２間の実際の電圧の差が、負荷を安全に動作させるために要求される許容範囲を逸脱しないように設定される。
【００４１】
このように、制御回路１０は、図１のａ−ｂ間並びにｂ−ｃ間の計測電圧値が均等になったことを検出した時点で直ちにスイッチング素子Ｓ１，Ｓ２のオンオフ制御を停止してしまうのではなく、上記検出時点から所定の遅延時間が経過した後にオンオフ制御を停止するので、蓄電セルへの充放電が完了し、電流が流れなくなることにより線路インピーダンスＲ１，Ｒ２，Ｒ３や蓄電セルＢ１，Ｂ２の内部インピーダンスｒ１，ｒ２による電圧降下を防ぐ事ができ、蓄電セルＢ１，Ｂ２間の電圧（起電力）を確実に均等にすることができる。
【００４２】
＜遅延時間について＞
図３及び図４に、バランス補正回路１について上記遅延時間を見積るべく、バランス補正回路１に直列接続された２つのリチウムイオン二次電池で構成された集合電池３（電池容量４Ａｈ）を接続して行った試験の結果を示す。尚、図３はスイッチング素子Ｓ１，Ｓ２のオンオフ制御を行った際の経過時間と蓄電セルＢ１，Ｂ２間の電圧との関係を示すグラフである。
【００４３】
このグラフの横軸は、試験を開始した時点からの経過時間であり、縦軸は、電圧（Ｖ）又は電流（Ａ）である。またＩｓｅｎｓｅとして示す波形は、インダクタＬを流れる電流の変化であり、Ｖｓｄとして示す波形は、スイッチング素子Ｓ１，Ｓ２のオンオフ制御のための駆動電圧（オン（＝３．６４Ｖ）でオンオフ制御実施、：オフ（＝０Ｖ）でオンオフ制御停止）であり、Ｖａ−ｂとして示す波形は、図１のａ−ｂ間の電圧の計測値（蓄電セルＢ１の電圧）、Ｖｂ−ｃとして示す波形は、図１のｂ−ｃ間の電圧の計測値（蓄電セルＢ２の電圧）である。
【００４４】
図４は、図３のグラフの値を数値として示した表である。同表にＶａｖｅ（Ｖ）として示す数値は、Ｖａ−ｂ（Ｖ）とＶｂ−ｃ（Ｖ）の平均値であり、差分（ｍＶ）の「＋」及び「−」の値は、夫々、Ｖａ−ｂとＶａｖｅとの差、Ｖｂ−ｃとＶａｖｅとの差である。
【００４５】
試験に際し、図３のグラフのｔ１，ｔ３，ｔ５，ｔ７，ｔ９，ｔ１１、ｔ１３の各タイミングにおいてＶｓｄをオフし、またｔ２，ｔ４，ｔ６，ｔ８，ｔ１０，ｔ１２、ｔ１４の各タイミングにおいてＶｓｄをオンすることにより、スイッチング素子Ｓ１，Ｓ２のオンオフ制御を中断する期間（ｔ１→ｔ２，ｔ３→ｔ４，ｔ５→ｔ６，ｔ７→ｔ８，ｔ９→ｔ１０，ｔ１１→ｔ１２，ｔ１３→ｔ１４）を生じさせた。
【００４６】
図３及び図４に示すように、中断期間（ｔ１→ｔ２，ｔ３→ｔ４，ｔ５→ｔ６，ｔ７→ｔ８）において、蓄電セルＢ１，Ｂ２間の電圧に比較的大きな開きが生じているが、中断期間（ｔ９→ｔ１０）以降においては、Ｖｓｄをオフしても蓄電セルＢ１，Ｂ２間の電圧に殆ど開きが生じないことがわかる。またこのグラフの結果から、例えば、バランス補正後の蓄電セルＢ１，Ｂ２間の電圧差を２ｍＶ以下としたい場合には、遅延時間を１０ｍ程度以上に設定すればよいことがわかる。
【００４７】
ところで、以上の説明は本発明の理解を容易にするためのものであり、本発明を限定するものではない。本発明はその趣旨を逸脱することなく、変更、改良され得ると共に本発明にはその等価物が含まれることは勿論である。
【００４８】
例えば、バランス補正回路は、蓄電セルとは別体に設けられるものであってもよいし、蓄電セルと一体化されて電池パック等を構成するものであってもよい。
【００４９】
また例えば、以上に説明した仕組みは、直列接続された３つ以上の蓄電セルの電圧を均等化するのに用いられるバランス補正回路（例えば、特許文献１（特開２００１−１８５２２９号公報）に開示されている３つ以上の蓄電セルの均等化に対応したバランス補正回路）にも適用することができる。
【００５０】
また以上ではコンバータ方式のバランス補正回路１について説明したが、以上に説明した仕組みはトランス方式のバランス補正回路にも適用することができる。
【００５１】
図５に本発明をトランス方式のバランス補正回路２に適用した場合の回路例を示す。同図において、蓄電セルＢ１，Ｂ２並びに集合電池３の構成は前述したコンバータ方式の場合と同様である。抵抗ｒ１，ｒ２は、夫々、蓄電セルＢ１，Ｂ２の内部抵抗である。また抵抗Ｒ１は、蓄電セルＢ１の正極とスイッチング素子Ｓとを結ぶ線路の線路抵抗、抵抗Ｒ２は、接続点Ｊ１と接続点Ｊ２とを結ぶ線路の線路抵抗、抵抗Ｒ３は、接続点Ｊ４とスイッチング素子Ｓとを結ぶ線路の線路抵抗である。
【００５２】
同図に示すように、集合電池３の正負端子間には、トランスＴｒの一次巻線Ｎ１並びにスイッチング素子Ｓが接続されている。各蓄電セルＢ１，Ｂ２の正負端子間には、夫々、トランスＴｒの二次巻線Ｎ２が接続されている。スイッチング素子Ｓは、制御回路２０によって生成される制御信号によってオンオフ制御される。制御回路２０は、前述した制御回路１０と同様、制御信号生成回路１０１、タイマ回路１０２、及び計測回路１０３を備える。制御信号生成回路２０１は、スイッチング素子Ｓをオンオフ制御するための制御信号を生成する。タイマ回路２０２及び計測回路２０３の機能については制御回路１０におけるタイマ回路１０２、計測回路１０３と同様である。
【００５３】
スイッチング素子Ｓは、例えば、ＭＯＳＦＥＴやバイポーラトランジスタを用いて構成される。スイッチング素子Ｓがバイポーラトランジスタで構成されている場合、制御信号はベースに入力される。またスイッチング素子ＳがＭＯＳＦＥＴで構成されている場合、制御信号はゲートに入力される。
【００５４】
このバランス補正回路２においては、集合電池３の電力が、一次巻線Ｎ１から各二次巻線Ｎ２に再分配されることにより蓄電セルＢ１，Ｂ２間の電圧が均等化される。
【符号の説明】
【００５５】
１  バランス補正回路、３  集合電池、１０  制御回路、１０１  制御信号生成回路、１０２  タイマ回路、１０３  計測回路、Ｂ１，Ｂ２  蓄電セル、  ｒ１，ｒ２  内部抵抗、  Ｒ１，Ｒ２，Ｒ３  線路抵抗、  Ｓ１，Ｓ２  スイッチング素子、  Ｌ  インダクタ
【図１】
2014147150.tif 000003
【図２】
2014147150.tif 000004
【図３】
2014147150.tif 000005
【図４】
2014147150.tif 000006
【図５】
2014147150.tif 000007
【図６】
2014147150.tif 000008
【図７】
2014147150.tif 000009